(57)【特許請求の範囲】
【請求項１】
室温が設定温度に近づいたときに、圧縮機の駆動、停止を繰り返す断続運転を行う断続運転機能と、
熱交換器に付着している霜を取り除く除霜運転を行う除霜運転機能と、
上記除霜運転の要否を判定する除霜要否判定機能と、を有する空調機器において、
所定のタイミングとなったときに、上記断続運転が行われている場合、室温と設定温度とに関係なく、上記断続運転における圧縮機の駆動時間を予め設定されている時間に変更する駆動時間調整機能を備え、
上記所定のタイミングは、断続運転の開始から所定時間経過したタイミングである空調機器。
【請求項２】
室温が設定温度に近づいたときに、圧縮機の駆動、停止を繰り返す断続運転を行う断続運転機能と、
熱交換器に付着している霜を取り除く除霜運転を行う除霜運転機能と、
上記除霜運転の要否を判定する除霜要否判定機能と、を有する空調機器において、
所定のタイミングとなったときに、上記断続運転が行われている場合、室温と設定温度とに関係なく、上記断続運転における圧縮機の駆動時間を予め設定されている時間に変更する駆動時間調整機能を備え、
上記所定のタイミングは、上記圧縮機の駆動、停止の繰り返し回数が所定回数に達したときである空調機器。
【請求項３】
上記駆動時間調整機能は、圧縮機の駆動時間を変更した上記断続運転を予め設定されている回数行うと、圧縮機の駆動時間を室温と設定温度との関係に基づく時間に戻す機能を有している請求項１または２に記載の空調機器。
【請求項４】
外気温を検出する外気温検出部と、
上記外気温が所定温度以下でないときについては、上記駆動時間調整機能による圧縮機の駆動時間の変更を禁止する禁止手段と、を備えた請求項１〜３のいずれかに記載の空調機器。
【請求項５】
上記駆動時間調整部は、上記断続運転における圧縮機の駆動時間だけでなく、停止時間も変更する請求項１〜４のいずれかに記載の空調機器。
【請求項６】
室温と設定温度との差に応じて、圧縮機に供給する駆動電力を調整する駆動電力調整機能と、
熱交換器に付着している霜を取り除く除霜運転を行う除霜運転機能と、
上記除霜運転の要否を判定する除霜要否判定機能と、を有する空調機器において、
上記駆動電力調整機能は、圧縮機の連続運転時に所定時間経過する毎に室温と設定温度とに関係なく、圧縮機に供給する駆動電力を一時的に大きくする機能を有している空調機器。
【請求項７】
外気温を検出する外気温検出部と、
上記外気温が所定温度以下でないときについては、上記駆動電力調整機能による圧縮機に供給する駆動エネルギーの変更を禁止する禁止手段と、を備えた請求項６に記載の空調機器。
【請求項８】
上記駆動電力調整機能は、誘導電動機からなる圧縮機に対して供給する駆動電源の周波数および電圧を変化させることで圧縮機に供給する駆動電力の大きさを変化させる機能である請求項６または７に記載の空調機器。
【請求項９】
上記駆動電力調整機能は、直流電動機からなる圧縮機に対して供給する駆動電源の電圧またはＯＮ／ＯＦＦのデューティを変化させることで圧縮機に供給する駆動電力の大きさを変化させる機能である請求項６〜８のいずれかに記載の空調機器。
【発明の詳細な説明】
【０００１】
【発明の属する技術分野】
この発明は、室内温度を設定温度近傍で安定させる空調機器に関し、特に暖房機能を有する空調機器に関する。
【０００２】
【従来の技術】
従来より、空調機器においては暖房運転時に室外機の熱交換器に霜がつくことが知られている。そして、室外機の熱交換器に霜がつくと熱交換効率が低下し、効率良く暖房できなくなる。そこで、一般的な空調機器には室外機の熱交換器に霜がついているかどうかを検出する除霜要否判定機能および、この除霜要否判定機能において除霜要であると判定したときに室外機の熱交換器に付いている霜を取り除く除霜運転機能が設けられている。
【０００３】
ところで、除霜運転時も暖房能力が低下することから、室外機の熱交換器に霜がついていないにもかかわらず、除霜運転を行うことは（所謂、空除霜運転は）極力さけるべきである。このため、除霜要否検出機能では精度良く除霜要否を判定しなければならない。そこで、一般的な空調機器では室内機側の熱交換器や室外機の熱交換器の温度、外気温、運転継続時間等さまざまな要素を用いて除霜要否の判定を行うようにしている。また、室外機の熱交換器の温度については圧縮機の運転を開始してから４〜５分程度の時間をかけて、温度を観察することで、除霜要否の判定精度を向上させている。
【０００４】
【発明が解決しようとする課題】
周知のように、空調機器には圧縮機の圧縮能力を一定としたノンインバータ方式のものと、圧縮機能力を可変できるインバータ方式のものとが提案されている。
【０００５】
しかしながら、ノンインバータ方式の空調機器は、暖房運転を開始して室温が設定温度に近づくと、圧縮機の断続運転によって暖房能力を調整し、室温が設定温度近くで安定するように制御している。ここで、断続運転における圧縮機の運転時間、停止時間については短くしたほうが室温が安定する。また、圧縮機は一旦運転を停止して冷媒圧力がある程度平衡する前に運転を再開すると大きな負荷がかかり破損する可能性が高いため、冷媒圧力がある程度平衡してから運転を再開するようにしなければならない。一般的な圧縮機は運転を停止してから、冷媒圧力がある程度平衡するまでに約３分程度の時間を要すると言われている（所謂、３分遅延である。）。このことから、従来のノンインバータ方式の空調機器では、室温を安定させるために断続運転における圧縮機の停止時間および運転時間をともに３分としたものが多い。一方、除霜要否の判定を精度良く行うためには、圧縮機の運転によって冷媒が流れ始めた熱交換器の温度が安定するのを待たなければならない（熱交換器の温度が安定するまでには４分程度の時間を要する。）。このため、上述したように、精度良く除霜要否の判定を行うには圧縮機の運転を開始してから５分程度の時間が必要であった。すなわち、圧縮機の運転時間が３分である断続運転中においては精度良く除霜要否の判定が行えない。このため、空除霜運転が実行されたり、除霜要であるにもかかわらず除霜運転が実行されないという問題があった。
【０００６】
一方、インバータ方式の空調機器では、暖房運転を開始して室温が設定温度に近づくと、室温を設定温度近くで安定させるために、圧縮機に供給する駆動電力（駆動エネルギー）を低減することで暖房能力を調整し、室温が設定温度近くで安定するように制御している。しかし、圧縮機に供給する駆動エネルギーを最低にしても暖房能力が過大で室温が上昇するようなときには、上記ノンインバータ方式と同様に圧縮機の断続運転を行って、室温を設定温度近くで安定させなければならない。このように、インバータ方式の空調機器も室温を設定温度近くで安定させるために圧縮機の断続運転を行うことがあり、この断続運転時においては上述したように精度良く除霜要否の判定が行えず、空除霜運転が実行されたり、除霜要であるにもかかわらず除霜運転が実行されないという問題があった。
【０００７】
この発明の目的は、断続運転時においては一時的に圧縮機の運転時間を長くすることで、室外機の熱交換器に霜がついているかどうかを精度良く判定できるようにして、空除霜運転を防止するとともに、除霜要の状態であるときには確実に除霜運転を実行することで暖房効率を向上させた空調機器を提供することにある。
【０００８】
【課題を解決するための手段】
この発明は、上記課題を解決するために以下の構成を備えている。
【０００９】
（１）室温が設定温度に近づいたときに、圧縮機の駆動、停止を繰り返す断続運転を行う断続運転機能と、
熱交換器に付着している霜を取り除く除霜運転を行う除霜運転機能と、
上記除霜運転の要否を判定する除霜要否判定機能と、を有する空調機器において、
所定のタイミングとなったときに、上記断続運転が行われている場合、室温と設定温度とに関係なく、上記断続運転における圧縮機の駆動時間を予め設定されている時間に変更する駆動時間調整機能を備え、
上記所定のタイミングは、断続運転の開始から所定時間経過したタイミングである。
【００１０】
この構成では、室温が設定温度に近づくと、圧縮機の駆動、停止を繰り返す断続運転を行うことで暖房能力を調整し、室温を設定温度近傍で安定させる。そして、駆動時間調整機能は断続運転の開始から所定時間経過したときに、上記断続運転が継続されていると上記断続運転における圧縮機の駆動時間を長くする。ここで、圧縮機の駆動時間を除霜要否の判定を精度良く行うのに十分な時間とすれば（５分程度）、断続運転時においても精度良く除霜要否の判定を行うことができる。したがって、空除霜運転が防止できるとともに、除霜要の状態であるときには確実に除霜運転を実行することができる。また、熱交換器が除霜要と判定される直前の状態であったときには、圧縮機の駆動時間を長くしたことで熱交換器において霜の付着量が増大するため一気に除霜要の状態となる。したがって、熱交換器が除霜要と判定される直前の状態での運転時間も短縮されることになり、本体の運転効率が向上できる（ランニングコストを低減できる。）。
【００１１】
（２）室温が設定温度に近づいたときに、圧縮機の駆動、停止を繰り返す断続運転を行う断続運転機能と、
熱交換器に付着している霜を取り除く除霜運転を行う除霜運転機能と、
上記除霜運転の要否を判定する除霜要否判定機能と、を有する空調機器において、
所定のタイミングとなったときに、上記断続運転が行われている場合、室温と設定温度とに関係なく、上記断続運転における圧縮機の駆動時間を予め設定されている時間に変更する駆動時間調整機能を備え、
上記所定のタイミングは、上記圧縮機の駆動、停止の繰り返し回数が所定回数に達したときである。
【００１２】
この構成では、上記圧縮機の駆動、停止の繰り返し回数が所定回数に達したときを所定のタイミングにしており、上記（１）と同様の効果を奏する。
【００１３】
（３）上記駆動時間調整機能は、圧縮機の駆動時間を変更した上記断続運転を予め設定されている回数行うと、圧縮機の駆動時間を室温と設定温度との関係に基づく時間に戻す機能を有している。
【００１４】
この構成では、圧縮機の駆動時間を長くしたときについては一時的に暖房能力が上がって室温が上昇するが、その後圧縮機の駆動時間を元の状態に戻すようにしているので、すぐに室温を設定温度近傍で安定させることができる。
【００１５】
（４）外気温を検出する外気温検出部と、
上記外気温が所定温度以下でないときについては、上記駆動時間調整機能による圧縮機の駆動時間の変更を禁止する禁止手段と、を備えている。
【００１６】
外気温が所定温度を越えるときには、圧縮機の駆動時間も長くしないので室温を設定温度近傍で安定させることができる。なお、一般に外気温が比較的高い場合、室外機の熱交換器に殆ど霜がつくことがない。このことから、外気温が比較的高い場合においては、室外機の熱交換器について除霜要否を判定しなくても問題が生じないため、圧縮機に供給する駆動電力を一時的に大きくする必要がない。
【００１７】
（５）上記駆動時間調整部は、上記断続運転における圧縮機の駆動時間だけでなく、停止時間も変更する。
【００１８】
この構成では、圧縮機の駆動時間だけでなく、停止時間も長くするようにしたので、室温が設定温度から大きく離れた温度まで上昇することがない。
【００１９】
（６）室温と設定温度との差に応じて、圧縮機に供給する駆動電力を調整する駆動電力調整機能と、
熱交換器に付着している霜を取り除く除霜運転を行う除霜運転機能と、
上記除霜運転の要否を判定する除霜要否判定機能と、を有する空調機器において、
上記駆動電力調整機能は、圧縮機の連続運転時に所定時間経過する毎に室温と設定温度とに関係なく、圧縮機に供給する駆動電力を一時的に大きくする機能を有している。
【００２０】
この構成では、室温と設定温度との差に応じて圧縮機に供給する駆動電力を調整することで暖房能力の調整を行い、室温を設定温度近傍で安定させる。また、駆動力調整部は、圧縮機の連続運転時に所定時間経過する毎に、室温と設定温度との差に関係なく圧縮機に供給する駆動電力を大きくするようにしているので、熱交換器に付着する霜が増大する。このため、熱交換器は除霜要と判定される直前の状態であったときには、一気に除霜要の状態となる。したがって、熱交換器が除霜要と判定される直前の状態での運転時間も短縮されることになり、本体の運転効率が向上できる（ランニングコストを低減できる。）。
【００２２】
（７）外気温を検出する外気温検出部と、
上記外気温が所定温度以下でないときについては、上記駆動電力調整機能による圧縮機に供給する駆動エネルギーの変更を禁止する禁止手段と、を備えている。
【００２３】
この構成では、外気温が所定温度を越えるときには、圧縮機に供給する駆動エネルギーを大きくしないので、室温を設定温度近傍で安定させることができる。なお、上述したように一般に外気温が比較的高い場合、室外機の熱交換器に殆ど霜が付かない。このことから、外気温が比較的高い場合においては、室外機の熱交換器について除霜要否を判定しなくても問題がない。
【００２４】
（８）上記駆動電力調整機能は、誘導電動機からなる圧縮機に対して供給する駆動電源の周波数および電圧を変化させることで圧縮機に供給する駆動電力の大きさを変化させる機能である。
【００２５】
この構成では、誘導電動機からなる圧縮機に対して供給する駆動電源の周波数および電圧を変化させることによって、誘導電動機からなる圧縮機に対して供給する駆動電力を変化させている。
【００２６】
（９）上記駆動電力調整機能は、直流電動機からなる圧縮機に対して供給する駆動電源の電圧またはＯＮ／ＯＦＦのデューティを変化させることで圧縮機に供給する駆動電力の大きさを変化させる機能である。
【００２７】
この構成では、直流電動機からなる圧縮機に対して供給する駆動電源の電圧またはＯＮ／ＯＦＦのデューティ（比率）を変化させることによって、圧縮機に対して供給する駆動電力の大きさを変化させている。
【００２８】
【発明の実施の形態】
図１は、この発明の実施形態である空調機器の概略の構成を示すブロック図である。ここでは、ノンインバータ方式の空調機器であるとして以下の説明を行う。図において、１は室内機であり、２は室外機である。室内機１には、室内側熱交換器１１、室内側送風機１２および室内空気温度センサ１３が設けられている。また、室外機２には、室外側熱交換器２１、室外側送風機２２、圧縮機２３、駆動制御部２４および室外空気温度センサ２５が設けられている。駆動制御部２４が圧縮機２３の駆動制御を行う。
【００２９】
なお、実際には圧縮機２３からの冷媒を切り換える四方切換弁を設け、冷房時は圧縮機２３からの冷媒をまず室外側熱交換器２１にて凝縮して外気に放熱し、図示していないキャピラリーチューブ等の減圧手段を経て、室内側熱交換器１１にて冷媒が膨張して蒸発し室内空気を冷房した後、四方切換弁を経て圧縮機２３に冷媒が戻る。
暖房時は、圧縮機からの冷媒をまず室内側熱交換器１１にて凝縮して室内空気を暖房し、図示していないキャピラリーチューブ等の減圧手段を経て、室外側熱交換器２１にて冷媒が膨張して蒸発し室外空気より吸熱後、四方切換弁を経て圧縮機２３に冷媒が戻る。
ここでは、暖房時について説明する。また、室内空気温度センサ１３、室外空気温度センサ２５は必ずしも専用の温度センサを用いずとも、他の温度センサで兼用して、室内、室外の空気温度を推定する方法もある。例えば運転開始時の室外熱交換器用の温度センサで外気温度を推定してもよい。
【００３０】
以下、この実施形態にかかる空調機器の動作について説明する。図２はこの実施形態にかかる空調機器の暖房運転時の運転区分を示す図である。一般に空調機器の室内機１は温かい空気が集まる天井に近い位置に設置されるものであることから、この実施形態の空調機器では室内空気温度センサ１３における検出温度を室温とみなしていない。駆動制御部２４は、以下に示すように設定温度と室内温度センサ１３による検出温度との差に基づいて圧縮機２３を制御している。
【００３１】
▲１▼設定温度−室内温度センサ１３の検出温度が−４℃未満であれば、圧縮機２３の連続運転で暖房を行う。この連続運転で室内温度センサ１３における検出温度が上昇し、
▲２▼設定温度−室内温度センサ１３の検出温度が−４℃以下となると、駆動制御部２４は圧縮機２３を３分運転／３分停止で繰り返し動作させる第１の断続運転モードに切り換える。さらに、この第１の断続運転モードでも室内温度センサ１３の検出温度が上昇し、
▲３▼設定温度−室内温度センサ１３の検出温度が−６℃以下となると、駆動制御部２４は圧縮機２３を３分運転／８分停止で繰り返し動作させる第２の断続運転モードに切り換える。そして、この第２の断続運転モードでも室内温度センサ１３の検出温度が上昇し、
▲４▼設定温度−室内温度センサ１３の検出温度が−９℃以下となると、駆動制御部２４が圧縮機２３の運転を停止する。すなわち、暖房動作を停止する。
【００３２】
上記▲１▼〜▲４▼は室内温度センサ１３の検出温度の上昇に伴って運転モードを切り換える制御である。逆に、
▲５▼設定温度−室内温度センサ１３の検出温度が−９℃以下であった状態（圧縮機の運転を停止している状態）から−９℃未満に低下してくると、駆動制御部２４が運転を停止していた圧縮機２３を３分運転／８分停止で繰り返し動作させる（第２の断続運転モードで動作させる。）。この第２の断続運転モードでも室内温度センサ１３の検出温度が低下し、
▲６▼設定温度−室内温度センサ１３の検出温度が−６℃以下となると、駆動制御部２４は圧縮機２３を３分運転／３分停止で繰り返し動作させる第１の断続運転モードに切り換える。さらに、この第１の断続運転モードでも室内温度センサ１３の検出温度が低下し、
▲７▼設定温度−室内温度センサ１３の検出温度が−３℃以下となると、駆動制御部２４は圧縮機２３を連続運転する連続運転モードに切り換えて、暖房を行う。
【００３３】
このように、この実施形態にかかる空調機器では設定温度と室内温度センサ１３の検出温度との差に基づいて、駆動制御部２４が圧縮機２３の運転モードを切り換え、暖房能力を調整することで、室温が設定温度近傍で安定するように制御している。
【００３４】
また、この実施形態の空調機器は、第１の断続運転モード（または第２の断続運転モード）となると、圧縮機２３の運転／停止の動作を１０回繰り返すと、一時的に圧縮機２３の運転時間を５分に延長した断続運転を２回行う（図３参照）。すなわち、除霜要否の判定を精度良く行うことができない断続運転に移行してから１時間経過後（圧縮機２３の３分運転／３分停止が１０回行われた場合）に、圧縮機２３の運転時間が自動的に５分に延長される。上述したように、圧縮機２３の運転時間が５分であれば、精度良く除霜要否の判定が行えるので、上記圧縮機２３の運転時間を５分に延長した断続運転を行っているときに除霜要否の判定が行える。
【００３５】
また、圧縮機２３の運転時間を５分に延長した断続運転を２回行うようにしているので、例えば熱交換器２１が除霜要と判定される直前の状態であったときには、圧縮機２３の運転時間を５分に延長した１回目の断続運転時に熱交換器２３に付く霜の量が増加して熱交換器２３が一気に除霜要の状態に移行する。そして、圧縮機２３の運転時間を５分に延長した２回目の運転時に熱交換器２３について除霜要と判定し除霜運転を行うことができる。したがって、熱交換器２１が除霜要と判定される直前の状態での運転時間を短縮することができ、空調機器の暖房効率を向上させることができる。これにより、本体にかかるランニングコストの低減（消費電力の低減）だけでなく、最近問題となっている大気温暖化の防止（ＣＯ２  排出量の削減）という効果も奏する。
【００３６】
なお、圧縮機２３の運転時間を５分に延長した断続運転を２回行うと、駆動制御部２４は、圧縮機２３の運転時間を３分に戻した元の断続運転を行い、これ以降圧縮機２３の運転時間を３分に戻した断続運転を１０回行うと、再度圧縮機２３の運転時間を５分に延長した断続運転を２回行って、熱交換器２１について除霜要否を判定する。
【００３７】
また、この実施形態の空調機器は、室外空気温度センサ２５の検出温度が所定の温度以下でなければ、駆動制御部２４に対して圧縮機２３の運転時間を５分に延長した断続運転を禁止する。ここで、外気温度が比較的高温であるときには、熱交換器２１に霜が殆ど付着しないので、除霜要の状態にならない。したがって、圧縮機２３の運転時間を５分に延長して除霜要否の判定を行う必要もない。また、圧縮機２３の運転時間を５分に延長しないので、室温を設定温度近傍で安定させることができる。
【００３８】
さらに、室外空気温度センサ２５の検出温度に応じて、圧縮機２３の運転時間を５分に延長する断続運転を行うタイミングを切り換えるようにしてもよい。具体的には、外気温が低い時ほど圧縮機２３の運転時間を５分に延長した断続運転を行うタイミングとなる圧縮機２３の断続運転の繰り返し回数を少なくする。例えば、上記の例では圧縮機２３の運転／停止が１０回行われたときに、圧縮機２３の運転時間を５分に延長した断続運転を行うとしたが、外気温度が比較的低いときには、圧縮機２３の運転／停止が５回行われたときに、圧縮機２３の運転時間を５分に延長した断続運転を行うようにすればよい。すなわち、熱交換器２１に霜が付きやすい環境であるときほど、除霜要否の判定を行うサイクルを短くすれば、除霜要の状態での運転時間を低減できる。
【００３９】
なお、上述したように第１の断続運転モードに移行しても、圧縮機２３の３分運転／３分停止を１０回繰り返すまでに、室内空気温度センサ１３における検出温度が上昇して第２の断続運転モードに移行することもあるが、この場合には第２の断続運転モードにおける圧縮機２３の３分運転／８分停止が１０回繰り返されたときに、圧縮機２３の運転時間を５分に延長した断続運転を行えばよい。また、第１の断続運転モードと第２の断続運転モードとにおける圧縮機２３の断続運転回数の合計が１０回となったときに圧縮機２３の運転時間を５分に延長した断続運転を行うようにしてもよい。さらに、圧縮機２３の運転時間を５分に延長した断続運転を行う場合に、室温が上昇するようであれば、圧縮機２３の停止時間についても室温が安定するように延長してもよい（３分から５分や８分に延長してもよい。）。
【００４０】
次に、インバータ式の空調機器に本願発明を適用した実施形態について説明する。インバータ式の空調機器も図１に示した空調機器と略同様の構成である。異なる点は圧縮機２３に駆動電力を供給する駆動制御部２４の構成である。図４は、圧縮機２３に駆動電力を供給する駆動制御部の構成を示す図である。図において、３１は交流電源（商用電源）を整流する整流回路、３２は整流回路３１で整流された直流電源を昇圧する昇圧回路、３３は昇圧回路３２で昇圧された直流電源を圧縮機電動機巻線に所定の対応で供給するインバータ、３４は昇圧回路３２およびインバータ３３における変換を制御する電源制御部である。
【００４１】
この実施形態にかかる空調機も、設定温度と室内空気温度センサ１３の検出温度との温度差に応じて圧縮機２３を駆動する。但し、図５に示すように設定温度と室内空気温度センサ１３の検出温度との温度差が大きくなるにつれて、圧縮機２３の回転数をＦ６→Ｆ５→Ｆ４→Ｆ３→Ｆ２→Ｆ１（Ｆ６＞Ｆ５＞Ｆ４＞Ｆ３＞Ｆ２＞Ｆ１）と徐々に小さくする。また、設定温度と室内空気温度センサ１３の検出温度との温度差が４℃以下になると圧縮機２３の回転数をＦ１とし、且つ、３分運転／３分停止とする第１の断続運転を行う。また、上記温度差が５℃以下になると、圧縮機２３について供給する駆動電源の周波数をＦ１とし、且つ、３分運転／８分停止とする第２の断続運転を行う。さらに、上記第２の断続運転を４回繰り返すか、または、上記温度差が−６℃以下になると、圧縮機２３の運転を停止する。
【００４２】
なお、一般的なインバータ方式の空調機器では、上記第２の断続運転に移行しても、直ぐに室温が下がり第１の断続運転状態に復帰するため、殆どの場合圧縮機２３の運転を停止（完全停止）することはない。
【００４３】
また、上記の室温が低下するにつれて、図５に示すように圧縮機２３の停止状態より、第２の断続運転、第１の断続運転、回転数Ｆ１による連続運転、回転数Ｆ２による連続運転、回転数Ｆ３による連続運転、回転数Ｆ４による連続運転、回転数Ｆ５による連続運転、回転数Ｆ６による連続運転の順に暖房能力をあげていく。
【００４４】
この実施形態の空調機器も、第１の断続運転状態において圧縮機２３の３分運転／３分停止が１０回繰り返されると、図３に示したように圧縮機２３の運転時間を５分に延長した断続運転を２回行う。そして、この圧縮機２３の運転時間を５分に延長した断続運転の間に熱交換器２１の除霜要否を判定する。したがって、上記したノンインバータ方式の空調機器と同様に熱交換器２１について精度良く除霜要否の判定が行える。
【００４５】
さらに、この実施形態に係る空調機器では、圧縮機２３の連続運転時においても、所定の時間毎に一時的に圧縮機２３に供給する駆動電力を大きくして（暖房能力を一時的に大きくして）、熱交換器２１に付着する霜の量を増大させるようにした。圧縮機２３に供給する駆動電力を大きくする手法としては、例えば圧縮機２３を駆動周波数Ｆ１で４０分間連続運転しているときに、５分間だけ回転数Ｆ３で圧縮機２３を運転する。これにより、熱交換器２１が除霜要と判定される直前の状態であったときには、一気に除霜要の状態に移行する。したがって、熱交換器２１が除霜要と判定される直前の状態での運転時間を短縮することができ、空調機器の運転効率を向上できる。これにより、本体にかかるランニングコストが低減できるだけでなく、最近問題となっている大気温暖化の防止（ＣＯ２  排出量の削減）という効果も奏する。
【００４６】
また、圧縮機２３には誘導電動機を用いる場合と、直流電動機を用いる場合があり、それぞれにより、整流回路３１により作られた直流電源から圧縮機電動機巻線に所定の対応で供給するインバータ３３について以下に説明する。
【００４７】
まず、誘導電動機を用いる場合、圧縮機２３の回転数を上げ、暖房能力を増大させるには、圧縮機２３に供給する駆動周波数を高くするとともに、インバータ３３のＰＷＭ制御のパルス幅を大きくして、圧縮機２３に供給する駆動電圧を高くして、駆動電流を増大させて、駆動電力を大きくしている（所謂、インバータのＰＷＭ制御により、駆動周波数、駆動電圧を大きくする。）。
【００４８】
次に、直流電動機を用いる場合、圧縮機２３の回転数を上げ、暖房能力を増大させるには、圧縮機２３に供給する電力を増大させる必要がある。整流回路３１が倍電圧整流とすると約ＤＣ２８０Ｖとなる。これ以上の高い電圧で圧縮機２３を駆動するには、昇圧回路３２で昇圧し、これ以下の電力で圧縮機２３を駆動させるには、インバータ３３にて「ＯＮとなる時間」と「ＯＦＦとなる時間」のデューティを変化させて行う。通常ＯＮ／ＯＦＦの周波数を３ｋＨｚとか、５ｋＨｚである。また、昇圧回路３２により、力率改善を行うものである（所謂、インバータのＰＡＭ制御。）。
【００４９】
なお、インバータにおけるＰＷＭ制御やＰＡＭ制御については、特開昭５９−１８１９７３号公報や特開平６−１０５５６３号公報等に記載されており、公知技術であることからここでは説明を省略する。
【００５０】
さらに、上記の実施形態では除霜要否の判定が精度良く行えるようになったので、除霜要否を判定する基準を厳しく設定できるので、空除霜運転が実行される可能性を一層低減することができる。
【００５１】
【発明の効果】
以上のように、この発明によれば、圧縮機の断続運転を行っているときにも、所定のタイミング、断続運転の開始から所定時間経過したタイミングや、上記圧縮機の駆動、停止の繰り返し回数が所定回数に達したときに、圧縮機を運転する時間を長くするようにしたので、上記断続運転時においても熱交換器の除霜要否判定を精度良く行うことができる。
【００５２】
また、圧縮機に対して結果的に大きな駆動力を与えることとなるので、熱交換器が除霜要と判定される直前の状態であったときには、一気に除霜要の状態に移行させることができる。したがって、熱交換器が除霜要と判定される直前の状態での運転時間を短縮することができ、空調機器の運転効率を向上させることができる。これにより、本体にかかるランニングコストが低減できるだけでなく、最近問題となっている大気温暖化の防止（ＣＯ２  排出量の削減）という効果も奏する。
【００５３】
さらに、除霜要否判定を精度良く行えるようになったことで、除霜要否を判定する基準を厳しく設定できるので、空除霜運転が実行される可能性を一層低減することができる。
【図面の簡単な説明】
【図１】この発明の実施形態である空調機器の概略の構成を示すブロック図である。
【図２】この実施形態にかかる空調機器の暖房運転時の運転区分を示す図である。
【図３】この実施形態にかかる空調機器における断続運転時の運転状態を示す図である。
【図４】この発明の別の実施形態である空調機器の電源回路の構成を示すブロック図である。
【図５】この発明の別の実施形態にかかる空調機器の暖房運転時の運転区分を示す図である。
【符号の説明】
１−室内機
２−室外機
１１−室内側熱交換器
１３−室内空気温度センサ
２１−室外側熱交換器
２３−圧縮機
２４−駆動制御部
２５−室外空気温度センサ
【図１】
0003609286.tif 000002
【図２】
0003609286.tif 000003
【図３】
0003609286.tif 000004
【図４】
0003609286.tif 000005
【図５】
0003609286.tif 000006